(57)【要約】  【課題】ワイヤー錠を使用しない場合に、ワイヤー錠をホルダーに保持するためにワイヤー錠を施錠する必要がない自転車用のワイヤー錠取付システムを提供する。【解決手段】自転車用のワイヤー錠取付システムは、ワイヤー錠取付具１と、ワイヤー部１０とを備え、ワイヤー錠取付具１は、逆Ｕ字形状に形成された取付具本体２と、取付具本体２に設けられ、ワイヤー部１０をスライド自在にガイドするガイド部と、取付具本体２に設けられ、自転車に取り付けるための取付構造とを備え、ガイド部には、ワイヤー部１０のワイヤー部分１１を挿通するためのワイヤー部分挿通孔１２が形成され、ワイヤー部分１０は、ワイヤー部分挿通孔１２から延出させ、環形状を形成させてから、ワイヤー部分挿通孔１２に挿通される。【選択図】図３
2020045008.tif 000002
【特許請求の範囲】
【請求項１】
自転車用のワイヤー錠取付システムであって、ワイヤー錠取付具と、ワイヤー部とを備え、ワイヤー錠取付具は、逆Ｕ字形状に形成された取付具本体と、取付具本体に設けられ、ワイヤー部をスライド自在にガイドするガイド部と、取付具本体に設けられ、自転車に取り付けるための取付構造とを備え、ガイド部には、ワイヤー部のワイヤー部分を挿通するためのワイヤー部分挿通孔が形成され、ワイヤー部分は、ワイヤー部分挿通孔から延出させ、環形状を形成させてから、ワイヤー部分挿通孔に挿通されることを特徴とする自転車用のワイヤー錠取付システム。
【発明の詳細な説明】
【技術分野】
【０００１】
本発明は、自転車用のワイヤー錠取付システムに関する。
【背景技術】
【０００２】
従来、ボルト挿通孔と回り止め突起の嵌合孔とを設け、シートポストのクランプ用ボルトの回り止め金具に重ね合わされ、該回り止め金具と共に自転車のシートポストのクランプ部に固定される取付け部を備えたホルダー本体、このホルダー本体に、対向する２側面からワイヤー錠を挟持する一対のホルダー部を設け、一方のホルダー部には、ワイヤー錠の錠孔に重ね合わされる錠杆の挿通孔を設け、他方のホルダー部には、ワイヤー錠の鍵穴の上方に延長された鍵用ホルダー溝を設け、このホルダー溝に嵌合する鍵の側面には該ホルダー溝の裏面と当接して、施錠状態のワイヤー錠からの抜脱を防止されるように突出する突起を設けてなるワイヤー錠のホルダー（特許文献１参照）が知られている。
【先行技術文献】
【特許文献】
【０００３】
【特許文献１】実開平６−７１３８４号公報
【発明の概要】
【発明が解決しようとする課題】
【０００４】
しかし、特許文献１のワイヤー錠のホルダーは、ワイヤー錠を使用しない場合に、ワイヤー錠をホルダーに保持させるためにはワイヤー錠を施錠する必要があるいう問題がある。
【０００５】
本発明は、ワイヤー錠を使用しない場合に、ワイヤー錠を保持するためにワイヤー錠を施錠する必要がない自転車用のワイヤー錠取付システムを提供することにある。
【課題を解決するための手段】
【０００６】
上記課題を解決するための手段として、本発明の自転車用のワイヤー錠取付システムは、ワイヤー錠取付具と、ワイヤー部とを備え、ワイヤー錠取付具は、逆Ｕ字形状に形成された取付具本体と、取付具本体に設けられ、ワイヤー部をスライド自在にガイドするガイド部と、取付具本体に設けられ、自転車に取り付けるための取付構造とを備え、ガイド部には、ワイヤー部のワイヤー部分を挿通するためのワイヤー部分挿通孔が形成され、ワイヤー部分は、ワイヤー部分挿通孔から延出させ、環形状を形成させてから、ワイヤー部分挿通孔に挿通される。
【発明の効果】
【０００７】
本発明によれば、ワイヤー錠を使用しない場合に、ワイヤー錠を保持するためにワイヤー錠を施錠する必要がない。
【図面の簡単な説明】
【０００８】
【図１】本発明の第一の実施形態における自転車用のワイヤー錠取付システムのワイヤー錠取付具を示す斜視図である。
【図２】図１のワイヤー錠取付具を、自転車に取り付けた状態を示す斜視図である。
【図３】図１のワイヤー錠取付具に、ワイヤー部を取り付けたワイヤー錠取付システムを示す斜視図である。
【図４】図３のワイヤー部を施錠した状態を示す斜視図である。
【図５】本発明の第二の実施形態における自転車用のワイヤー錠取付システムのワイヤー錠取付具を示す斜視図である。
【図６】図５のワイヤー錠取付具を、自転車に取り付けた状態を示す斜視図である。
【図７】図５のワイヤー錠取付具に、ワイヤー部を取り付けたワイヤー錠取付システムを示す斜視図である。
【図８】図７のワイヤー部を施錠した状態を示す斜視図である。
【図９】本発明の第三の実施形態における自転車用のワイヤー錠取付システムのワイヤー錠取付具を示す斜視図である。
【図１０】図９のワイヤー錠取付具を、自転車に取り付けた状態を示す斜視図である。
【図１１】図９のワイヤー錠取付具に、ワイヤー部を取り付けたワイヤー錠取付システムを示す斜視図である。
【図１２】図１１のワイヤー部を施錠した状態を示す斜視図である。
【発明を実施するための形態】
【０００９】
本発明に係る自転車用のワイヤー錠取付システムの実施形態について、図面を用いて説明するが、以下に説明する実施形態のみに限定されるものではない。
［第一の実施形態］
図１は、本発明の第一の実施形態における自転車用のワイヤー錠取付システムのワイヤー錠取付具を示す斜視図である。
ワイヤー錠取付具１は、逆Ｕ字形状に形成された板材である取付具本体２と、取付具本体２の前面部３に取付具本体２に沿って設けられ、ワイヤー部１０（図３参照）をスライド自在にガイドする複数のガイド部として、下端部４より上側に前面部３から上方に向かって延びる左右一対の下端部上側突起５と、中央部６の中央より上側に前面部３から上方に向かって延びる左右一対の中央部上側突起７と、上端部８の中央より上側に前面部３から上方に向かって延びる左右一対の上端部上側突起９とを備え、それぞれの突起には、ワイヤー部１０（図３参照）のワイヤー部分１１（図３参照）を取付具本体２に沿って挿通するためのワイヤー部分挿通孔１２が形成される。取付具本体２の下端部４に設けられ、自転車に取り付けるための取付構造として、カンチレバーＶ形ブレーキを装備した自転車のブレーキアーム１４（図２参照）の上方に取り付けるためのブレーキアーム取付ボルト挿通孔１５が形成される。
【００１０】
隣り合うガイド部の間において、ワイヤー部分１１（図３参照）を固定するための固定構造として、左側の下端部上側突起５と隣り合う中央部上側突起７との間に、前面部３から上方に向かって延びるワイヤー部分固定突起１６を設け、ワイヤー部分固定突起１６には、取付具本体２に沿ってワイヤー部分１１（図３参照）を差し込んで固定するワイヤー部分差込固定溝１７が形成される。
【００１１】
図２は、図１のワイヤー錠取付具を、自転車に取り付けた状態を示す斜視図である。
ワイヤー錠取付具１は、ブレーキアーム取付ボルト１８が取付具本体２の下端部４に形成されるブレーキアーム取付ボルト挿通孔１５（図１参照）に挿通され、ブレーキアーム１４の上方に取り付けてブレーキアーム１４と共に自転車のシートステイ１３に取り付けられる。
【００１２】
図３は、図１のワイヤー錠取付具に、ワイヤー部を取り付けたワイヤー錠取付システムを示す斜視図である。
ワイヤー部１０のワイヤー部分１１の先端は、左側の下端部上側突起５のワイヤー部分挿通孔１２から差し込まれ、左側の中央部上側突起７のワイヤー部分挿通孔１２、左側の上端部上側突起９のワイヤー部分挿通孔１２の順に挿通され、ワイヤー部分挿通孔１２から延出させたワイヤー部分１１の先端で環形状を形成させてから、右側の上端部上側突起９のワイヤー部分挿通孔１２、右側の中央部上側突起７のワイヤー部分挿通孔１２の順に挿通され、右側の下端部上側突起５のワイヤー部分挿通孔１２に差し込まれて取り付けられる。左側の下端部上側突起５と隣り合う中央部上側突起７との間に位置するワイヤー部分１１は、ワイヤー部分固定突起１６に形成されるワイヤー部分差込固定溝１７に差し込まれて固定される。
【００１３】
図４は、図３のワイヤー部を施錠した状態を示す斜視図である。
ワイヤー部１０は、右側の下端部上側突起５のワイヤー部分挿通孔１２に差し込まれたワイヤー部分１１の先端を下方に引っ張り、左側の上端部上側突起９のワイヤー部分挿通孔１２から延出させたワイヤー部分１１の環形状を変形させてから、ワイヤー部１０の錠穴部分１９にワイヤー部１０の錠杆部分２０（図３参照）を差し込んで施錠される。
【００１４】
［第二の実施形態］
図５は、本発明の第二の実施形態における自転車用のワイヤー錠取付システムのワイヤー錠取付具を示す斜視図である。
ワイヤー錠取付具２１は、逆Ｕ字形状に形成された板材である取付具本体２２と、取付具本体２２の先端部２３に設けられ、ワイヤー部１０（図７参照）をスライド自在にガイドするガイド部として、取付具本体２２の先端部２３に設けられ、先端部２３の左右方向中央付近から上方に向かって延びる支持部分２４と、支持部分２４の先端に設けられ、先端から前方に向かって延びるガイド部分２５と、支持部分２４の背面に設けられ、背面の左右方向中央からガイド部分２５の背面に沿って前方に向かって延びるリブ部分２６とを備え、ガイド部分２５には、ガイド部分２５の前側に、ガイド部分２５の左右方向中央から左側に向かって延び、ワイヤー部１０（図７参照）のワイヤー部分１１（図７参照）の中央付近から左側を挿通する左側ワイヤー部分挿通孔２７と、ガイド部分２５の後側に、ガイド部分２５の左右方向中央から右側に向かって延び、ワイヤー部１０（図７参照）のワイヤー部分１１（図７参照）の中央付近から右側を挿通する右側ワイヤー部分挿通孔２８が形成され、リブ部分２６には、左側ワイヤー部分挿通孔２７の下方に、ワイヤー部分１１（図７参照）のスライドを補助するワイヤー部分スライド補助孔２９と、ワイヤー部分１１（図７参照）を固定するための固定構造として右側ワイヤー部分挿通孔２８の下方に、ワイヤー部分１１（図７参照）を差し込んで固定するワイヤー部分差込固定孔３０が形成される。取付具本体２２の前面部３１の後側に設けられ、ワイヤー部１０（図７参照）の両端を係止するための係止構造として、前面部３１から上方に向かって延びる左右一対のワイヤー部係止突起３２が設けられ、それぞれのワイヤー部係止突起３２には、ワイヤー部分１１（図７参照）を引っ掛けて係止する略Ｖ字形状に形成されるワイヤー部分引掛け溝３３が形成される。取付具本体２２の背面部３４に設けられ、自転車に取り付けるための取付構造として、取付具本体２２の前後方向中央付近にシートステイ１３（図６参照）を挟み込んで取り付けるための左右一対の取付バンド３５を備える。
【００１５】
図６は、図５のワイヤー錠取付具を、自転車に取り付けた状態を示す斜視図である。
ワイヤー錠取付具２１は、取付具本体２２の背面部３４に設けらた左右一対の取付バンド３５でシートステイ１３を挟み込み、左右一対の取付バンド締付ボルトナット３６で締め付けて自転車のシートステイ１３に取り付けられる。
【００１６】
図７は、図５のワイヤー錠取付具に、ワイヤー部を取り付けたワイヤー錠取付システムを示す斜視図である。
ワイヤー部１０のワイヤー部分１１の中央付近より右側は、ガイド部分２５に備えた右側ワイヤー部分挿通孔２８にガイド部分２５の前面側から背面側に向かって差し込まれてからリブ部分２６に形成されるワイヤー部分差込固定孔３０（図５参照）の右側面側から左側面側に向かって差し込んで固定され、ワイヤー部分差込固定孔３０（図５参照）から延出させたワイヤー部１０は、ワイヤー部分１１を変形させて左側のワイヤー部係止突起３２に形成されるワイヤー部分引掛け溝３３にワイヤー部分１１を引っ掛けて係止され、ワイヤー部１０のワイヤー部分１１の中央付近より左側は、ガイド部分２５に備えた左側ワイヤー部分挿通孔２７にガイド部分２５の前面側から背面側に向かって差し込まれてからリブ部分２６に形成されるワイヤー部分スライド補助孔２９（図５参照）の左側面側から右側面側に向かって差し込んで挿通され、ワイヤー部分スライド補助孔２９（図５参照）から延出させたワイヤー部１０は、ワイヤー部分１１を変形させて右側のワイヤー部係止突起３２に形成されるワイヤー部分引掛け溝３３にワイヤー部分１１を引っ掛けて係止されてワイヤー部１０はワイヤー錠取付具２１に取り付けられる。
【００１７】
図８は、図７のワイヤー部を施錠した状態を示す斜視図である。
左側のワイヤー部係止突起３２に係止されるワイヤー部１０は、ワイヤー部１０を内側に押してワイヤー部分１１をワイヤー部分引掛け溝３３から外し、右側のワイヤー部係止突起３２に係止されるワイヤー部１０は、ワイヤー部１０を内側に押してワイヤー部分１１をワイヤー部分引掛け溝３３から外してワイヤー部１０を引っ張り、ガイド部分２５の上方で環形状を形成させたワイヤー部分１１の形状を変形させ、ワイヤー部１０の錠穴部分１９にワイヤー部１０の錠杆部分２０（図７参照）を差し込んで施錠される。
【００１８】
［第三の実施形態］
図９は、本発明の第三の実施形態における自転車用のワイヤー錠取付システムのワイヤー錠取付具を示す斜視図である。
ワイヤー錠取付具２１は、逆Ｕ字形状に形成された板材である取付具本体２２と、取付具本体２２の先端部２３に設けられ、ワイヤー部１０（図１１参照）をスライド自在にガイドするガイド部として、取付具本体２２の先端部２３に設けられ、先端部２３の左右方向中央付近から上方に向かって延びる支持部分２４と、支持部分２４の先端に設けられ、先端から前方に向かって延びるガイド部分２５と、支持部分２４の背面に設けられ、背面の左右方向中央からガイド部分２５の背面に沿って前方に向かって延びるリブ部分２６とを備え、ガイド部分２５には、ガイド部分２５の前側に、ガイド部分２５の左右方向中央から左右両側に向かって延び、ワイヤー部１０（図１１参照）のワイヤー部分１１（図１１参照）の中央付近より右側を挿通する前側ワイヤー部分挿通孔３８と、ガイド部分２５の後側に、ガイド部分２５の左右方向中央から左右両側に向かって延び、ワイヤー部１０（図１１参照）のワイヤー部分１１（図１１参照）の中央付近より左側を挿通する後側ワイヤー部分挿通孔３９が形成され、リブ部分２６には、前側ワイヤー部分挿通孔３８の下方に、ワイヤー部分１１（図１１参照）の中央付近より右側のスライドを補助するワイヤー部分スライド補助孔２９と、後側ワイヤー部分挿通孔３９の下方に、ワイヤー部分１１（図１１参照）の中央付近より左側のスライドを補助するワイヤー部分スライド補助孔２９と、ワイヤー部分１１（図１１参照）を固定するための固定構造として前側ワイヤー部分挿通孔３８と後側ワイヤー部分挿通孔３９の間にワイヤー部分１１（図１１参照）の中央付近を差し込んで固定するワイヤー部分差込固定孔３０が形成される。取付具本体２２の前面部３１の後側に設けられ、ワイヤー部１０（図１１参照）の両端を係止するための係止構造として、左側の前面部３１から上方に向かって延び、ワイヤー部１０（図１１参照）の錠穴部分１９（図７参照）を差し込んで係止する円柱形状の錠穴差込突起４０と、右側の前面部３１から上方に向かって延びるワイヤー部係止突起４１とを備え、ワイヤー部係止突起４１には、ワイヤー部１０（図１１参照）の錠杆部分２０（図７参照）を差し込んで係止する錠杆挿通穴４２が形成される。取付具本体２２の背面部３４に設けられ、自転車に取り付けるための取付構造として、背面部３４の前側に、背面部３４の左右方向中央から下方に向かって延び、先端が後方に向かって延びる前側取付突起４３と、背面部３４の後側に、背面部３４から下方に向かって延びる左右一対の後側取付突起４４とを備え、前側取付突起４３には、取付ボルト４７（図１０参照）を挿通する取付ボルト挿通孔４５と、左右一対の後側取付突起４４には、シートステー１３（図１０参照）を挟み込んで取り付けるシートステー挟込取付溝４６が形成される。
【００１９】
図１０は、図９のワイヤー錠取付具を、自転車に取り付けた状態を示す斜視図である。
ワイヤー錠取付具２１は、取付具本体２２の背面部３４の後側に設けらた左右一対の後側取付突起４４に形成されるシートステー挟込取付溝４６でシートステイ１３を挟み込み、取付ボルト４７が、取付具本体２２の背面部３４の前側に設けらた前側取付突起４３に形成される取付ボルト挿通孔４５（図９参照）、自転車用の泥除けを後付けで装着可能とするために設けられる泥除け取付ボルト挿通孔３７（図６参照）の順に挿通され、ナットで締め付けられて自転車のシートステイ１３に取り付けられる。
【００２０】
図１１は、図９のワイヤー錠取付具に、ワイヤー部を取り付けたワイヤー錠取付システムを示す斜視図である。
ワイヤー部１０のワイヤー部分１１の中央付近は、リブ部分２６に形成されるワイヤー部分差込固定孔３０（図９参照）に差し込んで固定され、ワイヤー部分１１の中央付近より右側は、ガイド部分２５の前側に形成される前側ワイヤー部分挿通孔３８にガイド部分２５の背面側から前面側に向かって差し込まれ、前側ワイヤー部分挿通孔３８の上方で環形状を形成させてから前側ワイヤー部分挿通孔３８にガイド部分２５の前面側から背面側に向かって差し込まれてリブ部分２６の前側ワイヤー部分挿通孔３８の下方に形成されるワイヤー部分スライド補助孔２９（図９参照）の左側面側から右側面側に向かって挿通され、ワイヤー部分スライド補助孔２９（図９参照）から延出させたワイヤー部１０は、ワイヤー部分１１を変形させてワイヤー部係止突起４１に形成される錠杆挿通穴４２（図９参照）にワイヤー部１０の錠杆部分２０（図７参照）を差し込んで係止され、ワイヤー部分１１の中央付近より左側は、ガイド部分２５の後側に形成される後側ワイヤー部分挿通孔３９にガイド部分２５の背面側から前面側に向かって差し込まれ、後側ワイヤー部分挿通孔３９の上方で環形状を形成させてから後側ワイヤー部分挿通孔３９にガイド部分２５の前面側から背面側に向かって差し込まれてリブ部分２６の後側ワイヤー部分挿通孔３９の下方に形成されるワイヤー部分スライド補助孔２９（図９参照）の右側面側から左側面側に向かって挿通され、ワイヤー部分スライド補助孔２９（図９参照）から延出させたワイヤー部１０は、ワイヤー部分１１を変形させてワイヤー部１０の錠穴部分１９（図７参照）を錠穴差込突起４０（図９参照）に差し込んで係止されてワイヤー部１０はワイヤー錠取付具２１に取り付けられる。
【００２１】
図１２は、図１１のワイヤー部を施錠した状態を示す斜視図である。
錠穴差込突起４０に差し込んで係止されるワイヤー部分１１の中央付近より左側のワイヤー部１０は、ワイヤー部１０を持ち上げて錠穴差込突起４０から外し、ワイヤー部１０を引っ張って後側ワイヤー部分挿通孔３９の上方で環形状を形成させたワイヤー部分１１の形状を変形させ、ワイヤー部係止突起４１に形成される錠杆挿通穴４２（図９参照）に係止されるワイヤー部分１１の中央付近より右側のワイヤー部１０は、ワイヤー部１０を前方に引っ張って錠杆挿通穴４２（図９参照）から外し、ワイヤー部１０を引っ張って前側ワイヤー部分挿通孔３８の上方で環形状を形成させたワイヤー部分１１の形状を変形させ、ワイヤー部１０の錠穴部分１９にワイヤー部１０の錠杆部分２０（図７参照）を差し込んで施錠される。
【符号の説明】
【００２２】
１  ワイヤー錠取付具
２  取付具本体
３  前面部
４  下端部
５  下端部上側突起
６  中央部
７  中央部上側突起
８  上端部
９  上端部上側突起
１０  ワイヤー部
１１  ワイヤー部分
１２  ワイヤー部分挿通孔
１３  シートステイ
１４  ブレーキアーム
１５  ブレーキアーム取付ボルト挿通孔
１６  ワイヤー部分固定突起
１７  ワイヤー部分差込固定溝
１８  ブレーキアーム取付ボルト
１９  錠穴部分
２０  錠杆部分
２１  ワイヤー錠取付具
２２  取付具本体
２３  先端部
２４  支持部分
２５  ガイド部分
２６  リブ部分
２７  左側ワイヤー部分挿通孔
２８  右側ワイヤー部分挿通孔
２９  ワイヤー部分スライド補助孔
３０  ワイヤー部分差込固定孔
３１  前面部
３２  ワイヤー部係止突起
３３  ワイヤー部分引掛け溝
３４  背面部
３５  取付バンド
３６  取付バンド締付ボルトナット
３７  泥除け取付ボルト挿通孔
３８  前側ワイヤー部分挿通孔
３９  後側ワイヤー部分挿通孔
４０  錠穴差込突起
４１  ワイヤー部係止突起
４２  錠杆挿通穴
４３  前側取付突起
４４  後側取付突起
４５  取付ボルト挿通孔
４６  シートステー挟込取付溝
４７  取付ボルト
【図１】
2020045008.tif 000003
【図２】
2020045008.tif 000004
【図３】
2020045008.tif 000005
【図４】
2020045008.tif 000006
【図５】
2020045008.tif 000007
【図６】
2020045008.tif 000008
【図７】
2020045008.tif 000009
【図８】
2020045008.tif 000010
【図９】
2020045008.tif 000011
【図１０】
2020045008.tif 000012
【図１１】
2020045008.tif 000013
【図１２】
2020045008.tif 000014